(57)【要約】【課題】気候や作業環境に応じて脇の下を適度に冷却することができ、好適に着用できるファン付ベストを提供する。【解決手段】使用者の身体のうち少なくとも上半身を覆うベスト本体１０と、前記ベスト本体と身体又は下着との間の空間に空気を流通させるためのファン５０と、を備えたファン付ベスト１００であって、前記ベスト本体は、前記使用者の胴を覆う胴体部１と、前記使用者の腕を通す一対の袖ぐり部１５と、を有しており、前記袖ぐり部の下方の脇下側には、前記空間を流通した空気を排出するための空気流通口を有する空気排出部１６が設けられ、前記空気排出部は、前記空気流通口１６ａの開口度を調整するスナップボタン１７を備える。【選択図】図１
0003233228.tif 000002
【実用新案登録請求の範囲】
【請求項１】
使用者の身体のうち少なくとも上半身を覆うベスト本体と、
前記ベスト本体と身体又は下着との間の空間に空気を流通させるためのファンと、を備えたファン付ベストであって、
前記ベスト本体は、前記使用者の胴を覆う胴体部と、前記使用者の腕を通す一対の袖ぐり部と、を有しており、
前記袖ぐり部の下方の脇下側には、前記空間を流通した空気を排出するための空気流通口を有する空気排出部が設けられ、
前記空気排出部は、前記空気流通口の開口度を調整する調整手段を備えることを特徴とするファン付ベスト。
【請求項２】
前記袖ぐり部を一周するアームホールは伸縮性のある環状部材で構成されることを特徴とする請求項１に記載のファン付ベスト。
【請求項３】
前記調整手段は一つ以上のボタン又はファスナーであることを特徴とする請求項１又は２に記載のファン付ベスト。
【請求項４】
前記ベスト本体は上下方向に延在する襠部を有し、前記襠部は前記ベスト本体と身体又は下着との間の空間に空気流通路を形成することを特徴とする請求項１〜３のいずれか一項に記載のファン付ベスト。
【請求項５】
前記ファンは、前記ベスト本体のアームホールの最下点よりも上に位置する箇所に配設されていることを特徴とする請求項１〜４のいずれか一項に記載のファン付ベスト。
【請求項６】
前記ファンは、前記ベスト本体の背面側の、前記一対の袖ぐり部の間に位置する箇所に配設されていることを特徴とする請求項１〜５のいずれか一項に記載のファン付ベスト。
【請求項７】
ファン付ベスト用のベスト本体であって、
使用者の胴を覆う胴体部と、
前記胴体部に設けられ、ファンを取り付ける取付孔を有する取付部と、
前記使用者の腕を通す一対の袖ぐり部と、
前記袖ぐり部の下方の脇下側に設けられ、当該ベスト本体と身体又は下着との間の空間を流通した空気を排出するための空気流通口を有する空気排出部と、を備え、
前記空気排出部は、前記空気流通口の開口度を調整する調整手段を備えることを特徴とするファン付ベスト用のベスト本体。
【考案の詳細な説明】
【技術分野】
【０００１】
本考案は、ファン付ベスト及びファン付ベスト用のベスト本体に関する。
【背景技術】
【０００２】
近年、脇の下に空気を排出するメッシュ生地を用いることにより身体から出た汗を蒸発させて、夏期の身体の蒸れを防ぐウェアが実用化されている（例えば、特許文献１参照）。
さらに、特許文献１のウェアにおいては、ファンを取り付けて外気を取り入れ、空気を循環させることができるようになっている。このファン付ウェアでは、袖ぐり部を一周するアームホールを伸縮性のある環状部材で構成することで、ファンの駆動によって服本体と身体又は下着との間の空間に送り込んだ空気が、脇の下に設けられたメッシュ生地以外の部分から漏れにくく、メッシュ生地から外部に排出されやすくなっており、効率よく脇の下を冷却することができるようになっている。
【先行技術文献】
【特許文献】
【０００３】
【特許文献１】特許第６８３６２７７号公報
【考案の概要】
【考案が解決しようとする課題】
【０００４】
ところで、脇の下には太い静脈が通っており、なおかつ血管が皮膚表面に近いため、脇の下を冷やすことは体温を下げるためには効果的である。
その一方で、脇下部の通気性が良すぎるファン付ウェアを着用すると、気温や作業環境によっては身体を冷やしすぎてしまうおそれがある。とくに、長時間にわたって着用すると、脇の下を過度に冷却し続けてしまい、好ましくない場合がある。
【０００５】
本考案の目的は、気温や作業環境に応じて脇の下を適度に冷却することができ、好適に着用できるファン付ベスト及びファン付ベスト用のベスト本体を提供することである。
【課題を解決するための手段】
【０００６】
上記課題を解決するため、請求項１に記載の考案は、
使用者の身体のうち少なくとも上半身を覆うベスト本体と、
前記ベスト本体と身体又は下着との間の空間に空気を流通させるためのファンと、を備えたファン付ベストであって、
前記ベスト本体は、前記使用者の胴を覆う胴体部と、前記使用者の腕を通す一対の袖ぐり部と、を有しており、
前記袖ぐり部の下方の脇下側には、前記空間を流通した空気を排出するための空気流通口を有する空気排出部が設けられ、
前記空気排出部は、前記空気流通口の開口度を調整する調整手段を備えることを特徴とする。
空気排出部は調整手段により、開口度を調整して、空気排出部より排出される空気排出量を調整することができることを特徴とする。このことにより、例えば、空気排出部から排出される空気が上方に排出される形状とした場合には、排出された空気は脇下部に直接送風することが可能となり、効率的に脇下部を冷却することができる。
【０００７】
請求項２に記載の考案は、請求項１に記載のファン付ベストにおいて、
前記袖ぐり部を一周するアームホールは伸縮性のある環状部材で構成されることを特徴とする。
【０００８】
請求項３に記載の考案は、請求項１又は２に記載のファン付ベストにおいて、
前記調整手段は一つ以上のボタン又はファスナーであることを特徴とする。
【０００９】
請求項４に記載の考案は、請求項１〜３のいずれか一項に記載のファン付ベストにおいて、
前記ベスト本体は上下方向に延在する襠部を有し、前記襠部は前記ベスト本体と身体又は下着との間の空間に空気流通路を形成することを特徴とする。
【００１０】
請求項５に記載の考案は、請求項１〜４のいずれか一項に記載のファン付ベストにおいて、
前記ファンは、前記ベスト本体のアームホールの最下点よりも上に位置する箇所に配設されていることを特徴とする。
【００１１】
請求項６に記載の考案は、請求項１〜５のいずれか一項に記載のファン付ベストにおいて、
前記ファンは、前記ベスト本体の背面側の、前記一対の袖ぐり部の間に位置する箇所に配設されていることを特徴とする。
【００１２】
請求項７に記載の考案は、ファン付ベスト用のベスト本体であって、
使用者の胴を覆う胴体部と、
前記胴体部に設けられ、ファンを取り付ける取付孔を有する取付部と、
前記使用者の腕を通す一対の袖ぐり部と、
前記袖ぐり部の下方の脇下側に設けられ、当該ベスト本体と身体又は下着との間の空間を流通した空気を排出するための空気流通口を有する空気排出部と、を備え、
前記空気排出部は、前記空気流通口の開口度を調整する調整手段を備えることを特徴とする。
【考案の効果】
【００１３】
本考案によれば、気温や作業環境に応じて脇の下を適度に冷却することができ、好適に着用できるファン付ベスト及びファン付ベスト用のベスト本体を提供できる。
【図面の簡単な説明】
【００１４】
【図１】本実施形態のファン付ベストを示す正面図（ａ）と背面図（ｂ）である。
【図２】（ａ）（ｂ）は袖ぐり部付近を示す斜視図である。
【考案を実施するための形態】
【００１５】
以下、図面を参照して、本考案に係るファン付ベストの実施形態について詳細に説明する。
【００１６】
本実施形態のファン付ベスト１００は、例えば、図１（ａ）（ｂ）に示すように、使用者の身体のうち少なくとも上半身を覆うベスト本体１０と、ベスト本体１０と身体又は下着との間の空間に空気を流通させるためのファン５０等を備えて構成されている。
【００１７】
ベスト本体１０は、通気性の小さな又は通気性の無いシート状素材で、使用者の上半身を覆うような形状に形成されている。
具体的には、このベスト本体１０は、使用者の胴を覆う胴体部１と、使用者の腕を通す一対の袖ぐり部１５と、使用者の頭部を覆うフード部２０と、を有している。
【００１８】
このベスト本体１０（胴体部１）の裾部１１には、例えばゴム等、伸縮性のある部材が取り付けられている。これにより、ベスト本体１０の裾部１１は絞り込まれて身体側に密着するようになる。
また、このファン付ベスト１００は前開きタイプであり、ベスト本体１０（胴体部１）の前身頃はファスナーによって開閉されるようになっている。なお、図１（ａ）において、そのファスナーが比翼１２によって隠された態様を図示している。
胴体部１の後ろ身頃の上部には、ファン５０を取り付けるための取付部１８が左右に対を成して設けられている。
取付部１８は、ファン５０の外形に沿う形状の取付孔（図示略）を有しており、取付部１８に取り付けられたファン５０は、当該取付孔から外部の空気をベスト本体１０の内側に取り込むようになっている。
【００１９】
一対の袖ぐり部１５は、袖ぐり部１５を一周する一対のアームホール１５ａを有し、アームホール１５ａは、例えばゴム等の伸縮性のある環状部材によって構成されている。すなわち、ベスト本体１０内の、ベスト本体１０と身体又は下着との間の空間を流通した空気は、袖ぐり部１５からは外部に排出されにくい構造となっている。
【００２０】
袖ぐり部１５の下部には一対の空気流通口１６ａを有する空気排出部１６が設けられている。すなわち、使用者の脇下にあたる部分に２つの空気排出部１６が設けられ、ファン５０によってベスト本体１０内に送り込まれて流通した空気は空気排出部１６を介して外部、例えば、上方に排出される。
空気排出部１６は、空気流通口１６ａの開口度、すなわち開口面積を調整する調整手段として、スナップボタン１７を備えている。このスナップボタン１７によって、空気流通口１６ａからの空気排出量を調整することが可能とされる。具体的には、図２に示すように、スナップボタン１７を外すことで空気流通口１６ａは全開状態となり（図２（ａ））、スナップボタン１７を止めることで空気流通口１６ａの開口度が小さくなる（図２（ｂ））。
【００２１】
フード部２０は、胴体部１の首周りに設けられている。
このフード部２０は、ファン５０によってベスト本体１０内に送り込まれて流通した空気を排出する開口部として機能する。なお、本実施形態のファン付ベスト１００のフード部２０は、必ずしも必要ではなく、必要に応じて設ければ良いものであるが、本実施形態のファン付ベスト１００においてはフード部２０を有するものとして説明する。
【００２２】
ファン５０は、空気を外部から取り込むことによりベスト本体１０と身体又は下着との間に空気流通路を形成し、その空気流通路内に空気の流れを強制的に生じさせるものである。
２つのファン５０、５０は、ベスト本体１０の後ろ身頃の上部に左右に対を成して取り付けられている。具体的には、ファン５０は、胴体部１の背面側であって、一対の袖ぐり部１５の間に位置するように配設されている。
換言すれば、ファン５０は、ベスト本体１０のアームホールの最下点よりも上に位置する箇所に配設されており、ファン付ベスト１００の着用時に使用者の脇下よりも上に位置する箇所に配設されている。
このように、ファン５０を袖ぐり部１５に近い位置に配設することで、首元や袖ぐり部１５側へ空気を送り込み易くなっている。
【００２３】
特に、ファン５０を、ベスト本体１０（胴体部１）の後ろ身頃の上部に配設することで、ファン５０によってベスト本体１０内に取り込んだ外部の空気を首元や両方の袖ぐり部１５に行き渡らせ易くなっている。具体的には、ベスト本体１０の後ろ身頃の上部に配設されているファン５０によってベスト本体１０内に外部の空気が取り込まれると、その空気は袖ぐり部１５側へ送り込まれるとともに、フード部２０側（首元側）やベスト本体１０の裾部１１側へ送り込まれて、ベスト本体１０内の全体に行き渡るようになる。
これに対して、ベスト本体１０の後ろ身頃の下部である裾部１１側にファンが配設されていると、そのファンによってベスト本体１０内に取り込んだ外部の空気は、胴体部１の下部から上部へ送られた後、袖ぐり部１５側へ送り込まれるようになるので、例えば胴体部１の上部へ空気を送り難くなる前屈みの姿勢が長時間続く場合に、袖ぐり部１５側に十分な空気が送り込まれ難くなってしまうおそれがある。
つまり、本実施形態のファン付ベスト１００のように、後ろ身頃の上部にファン５０が配設されている方が、特に首元や両方の袖ぐり部１５に空気を良好に送り易く、好適に身体を冷却し易くなる。
【００２４】
このファン５０としては、プロペラを有するファン装置を用いている。
なお、ファン５０に電力を供給するための電源手段（不図示）は、例えば、ベスト本体１０の内ポケット（不図示）に収納されている。
電源手段は、例えばバッテリーを内蔵した電源装置であり、電源手段と２つのファン５０、５０とは電源ケーブルにより電気的に接続されている。
【００２５】
また、図１（ｂ）に示すように、このファン付ベスト１００のベスト本体１０の背面側中央には、胴体部１からフード部２０に亘る部分に、ベスト本体１０の生地に弛みを持たせるように形成された弛み部１３が設けられている。
この弛み部１３は、縦方向（上下方向）に延在するようにベスト本体１０に設けられた一対の襠部１３ａの間に立体的に形成されている。
そして、ファン５０によって外部の空気がベスト本体１０内に取り込まれると、襠部１３ａは、その取り込まれた空気により弛み部１３をベスト本体１０の外側に膨らませ、ベスト本体１０と身体あるいは下着との間に空間を形成する。この空間は、胴体部１からフード部２０への空気流通路になる。
【００２６】
また、図１（ｂ）に示すように、このファン付ベスト１００のベスト本体１０（胴体部１）の背面側の両サイドには、縦方向（上下方向）に延在するようにサイド襠部１４が設けられている。
このサイド襠部１４は、胴体部１の背面側であって、袖ぐり部１５とファン５０の取り付け箇所の間に設けられており、その部分の厚み方向の寸法を調整可能にしている。
そして、ファン５０によって外部の空気がベスト本体１０内に取り込まれると、その取り込まれた空気により、ファン５０の取り付け箇所辺りが外側に膨らむことで、ファン５０が使用者の身体から離れ易くなり、ファン５０による圧迫感が低減するので、ファン付ベスト１００の着用感が向上する。
【００２７】
このようなファン付ベスト１００を着用した場合、ファン５０によってベスト本体１０内に取り込まれた空気は主に、袖ぐり部１５の下部に設けられた空気排出部１６から排出されるように流通するので、好適に身体を冷却することができる。
具体的には、空気排出部１６は、ファン付ベスト１００の脇下側に設けられているので、身体の蒸れ易い箇所に空気を流通させることで蒸れた空気を排出させ易くなっている。加えて、太い静脈が通っており、なおかつ血管が皮膚表面に近い脇下部を効率的に冷やすことができるため、好適に身体を冷却することができる。
本実施形態においては、排出された空気は脇下に直接送風することで効果的に脇下を冷却することができる。
また、袖ぐり部１５を一周するアームホール１５ａが伸縮性のある環状部材で構成されていることで、袖ぐり部１５からの空気排出が少なくなり、脇下部の空気排出部１６からより多くの空気が排出されるので、脇下部をより効率的に冷やすことができる。
このように、本実施形態のファン付ベスト１００であれば好適に身体を冷却することができ、好適に着用することができる。
【００２８】
また、このファン付ベスト１００におけるファン５０は、ベスト本体１０（胴体部１）の背面側であって、一対の袖ぐり部１５の間に位置するように配設されているので、ファン５０によってベスト本体１０内に取り込まれた空気が袖ぐり部１５側へ流通し易くなって、好適に身体を冷却することができる。
また、そのファン５０によってベスト本体１０内に取り込まれた空気が使用者の背中から首元に当たり易くなっており、血管が皮膚表面に近い首元を効率的に冷やすことができるため、好適に身体を冷却することができる。
【００２９】
加えて、スナップボタン１７によって、このファン付ベスト１００における空気排出部１６の空気流通口１６ａの開口度を調整できるように構成されている。つまり、スナップボタン１７を止めて空気流通口１６ａの開口度を小さくすれば脇下からの空気排出量を少なくし、脇下部の冷却を弱めることができる。
脇の下を冷やすことは体温を下げるためには効果的ではあるが、脇の下を長時間にわたって冷却した場合にはかえって身体を冷やしすぎてしまうおそれがある。しかし、本考案のファン付ベスト１００では、気温や作業環境に応じて空気排出部１６の空気流通口１６ａの開口度を調整することができるので、身体を冷やしすぎるおそれがない。すなわち、長時間にわたって作業する場合でも、途中で空気排出部１６の空気流通口１６ａの開口度を調整することで好適に着用することができる。
【００３０】
さらに、ファン５０をベスト本体１０の身頃の上部に設けて、ファン５０によってベスト本体１０内に取り込まれた空気が使用者の腰部や腹部に直接当たり難くしたことで、腰部や腹部を冷やし過ぎないようになっており、腰痛持ちの方の腰痛を悪化させたり、腹部の冷やし過ぎによる腹痛を起こしたりし難くなっている。
また、建設業においては作業道具類を腰回りの収納部に収納しているため、ファン５０が身頃の上部に配設されていれば、作業道具類の取り出し時などにファン５０が邪魔になることなく作業することができる。
また、ファン５０が身頃の上部に配設されていれば、背もたれ付きの椅子に着座した場合に、ファン５０が背もたれと背中に挟まれ難くなり、好適に着座できる。
【００３１】
なお、本考案は空気流通口の開口度を調整する調整手段を備えるような構成であれば、上記実施形態に限られるものではない。
具体的には、空気流通口１６ａの開口度を調整するスナップボタン１７は1つに限らず、複数設けられてもよい。複数にすることで、複数のボタンのうちの一部のボタンを留めることによって空気流通口１６ａの開口度を多段階で調整することができ、気温や作業環境に応じてより好適に脇の下を冷却することができる。
また、空気流通口１６ａはスナップボタンではなくファスナー（調整手段）で開閉し、開口度を調整する構成としてもよい。ファスナーを用いた場合でも、空気流通口１６ａの開口度を多段階で調整することができるため、上記の場合と同様に、より好適に脇の下を冷却することができる。ファスナーは、線ファスナーでも面ファスナーでもよい。
また、スナップボタンではなく、通常のボタン穴に挿入して止めるタイプのボタンであってもよい。
【００３２】
また、以上の実施の形態においては、ベスト本体１０（胴体部１）の後ろ身頃の上部にファン５０を配設したが、後ろ身頃の下部にファン５０を配設してもよい。
【００３３】
その他、具体的な細部構造等についても適宜に変更可能であることは勿論である。
【符号の説明】
【００３４】
１      胴体部
１１    裾部
１２    比翼
１３    弛み部
１３ａ  襠部
１４    サイド襠部
１５    袖ぐり部
１５ａ  アームホール
１６    空気排出部
１６ａ  空気流通口
１７    スナップボタン（調整手段）
１８    取付部
１０    ベスト本体
２０    フード部
５０    ファン
１００  ファン付ベスト
【図１】
0003233228.tif 000003
【図２】
0003233228.tif 000004